(57)【特許請求の範囲】
【請求項１】
複数のラックをラック列として対向配置し、該ラック列間に設けられた空間を閉空間とする床部と天井部と入口扉部と背面部を有するラック間通路遮蔽構造において、
該天井部は、対向配置されたラックの上端間に渡して取付けた枠部材の上部に天井パネルを固定して構成され、
該枠部材のうち、ラック間通路の幅方向に渡る部位をレール部材として形成し、
更に、該レール部材の内部に、下向きに開口した溝状の機器取付部を形成し、
該機器取付部内に機器を固定するスライドナットを移動自在に設けたことを特徴とするラック間通路遮蔽構造。
【請求項２】
該機器取付部に、ラック間通路の幅方向にスライド自在な第２の機器取付部として、補助レール部材を取付けたことを特徴とする請求項１記載のラック間通路遮蔽構造。
【請求項３】
該機器取付部を配線収納空間としたことを特徴とする請求項１または２記載のラック間通路遮蔽構造。
【請求項４】
ラック列の対向面には、各々のラック搭載機器冷却用空気吸い込み口を備え、
ラック列の背面には、ラック搭載機器によって暖められた空気を送りだす送風口を備え、
床部には、ラック搭載機器冷却用の冷気吹き出し口を備えることを特徴とする請求項１〜３の何れかに記載のラック間通路遮蔽構造。
【発明の詳細な説明】
【技術分野】
【０００１】
本発明は複数のラックをラック列として対向配置し、該ラック列間に設けられた空間を閉空間とする床部と天井部と入口扉部と背面部を有するラック間通路遮蔽構造に関するものである。
【背景技術】
【０００２】
近年、企業のIT利用の急激な増加に伴って、ITの電力問題が顕在化している。特に、サーバールーム・データセンターの熱対策に伴う電力消費量が深刻化しつつある。データセンター全体の電力コストの内訳を見ると、サーバーを冷却するための空調コストが、IT機器の電力コストと同じくらいの比率を占めている。すなわち、ITの電力問題解消のためには、サーバー自体の省電力化と共に、空調効率の改善が求められている。
【０００３】
サーバーの冷却効率を向上する技術としては、例えば特許文献１に記載のサーバー室のように、ラックに収納されたサーバーの設置空間の前後に通路用空間を設け、二つの通路用空間のうちの一方の通路用空間に、前記空調機から冷気が排出され、この冷気が前記設置空間に送られて、この設置空間において前記サーバーの熱によって前記冷気が暖められ、この暖められた暖気が他方の通路用空間に送られて前記空調機に環流される構造が開示されている。
【０００４】
その他にも、冷却した空気を効果的に循環させるための技術として、複数のラックを、冷却空気吸入口が対峙するように向かい合わせ２列に配置し、更に当該ラック列間に形成される空間の上部に天井部を設け、当該天井部と床とラック列で形成された閉空間を形成し、該閉空間に、床下に設けた冷気吹き出し口から冷気を吹き出す構造が知られている（特許文献２）。従来、当該天井部は、ラック列の上端部にパネル板を渡して構成されていたが、遮光性のパネルを用いた場合には該閉空間が暗くなるため、天井部に照明設備を設置したいという需要があった。また、その他にも、該閉空間に火災報知機や、セキュリティー機器等、様々な機器設置の需要があった。
【０００５】
しかし、ラック列の上端部に渡されたパネル板に、直接これらの機器を取り付けることは困難であり、取り付け位置がラックの上部近傍に限定され、不便である問題があった。
【特許文献１】特開２００７−２８５０８２号公報
【特許文献２】特開２００４−１８４０７０号公報
【発明の開示】
【発明が解決しようとする課題】
【０００６】
本発明の目的は、前記問題を解決し、前記のラック間通路遮蔽構造において、天井部の中心部分や、その他天井部の所望の位置に直接照明機器等を取り付け自在とする技術を提供することである。
【課題を解決するための手段】
【０００７】
上記課題を解決するためになされた本発明のラック間通路遮蔽構造は、複数のラックをラック列として対向配置し、該ラック列間に設けられた空間を閉空間とする床部と天井部と入口扉部と背面部を有するラック間通路遮蔽構造において、該天井部は、対向配置されたラックの上端間に渡して取付けた枠部材の上部に天井パネルを固定して構成され、該枠部材のうち、ラック間通路の幅方向に渡る部位をレール部材として形成し、更に、該レール部材の内部に、下向きに開口した溝状の機器取付部を形成し、該機器取付部内に機器を固定するスライドナットを移動自在に設けたことを特徴とするものである。
【０００８】
請求項２記載の発明は、請求項１記載のラック間通路遮蔽構造において、該機器取付部に、ラック間通路の幅方向にスライド自在な第２の機器取付部として、補助レール部材を取付けたことを特徴とするものである。
【０００９】
請求項３記載の発明は、請求項１または２記載のラック間通路遮蔽構造において、該機器取付部を配線収納空間としたことを特徴とするものである。
【００１０】
請求項４記載の発明は、請求項１〜３の何れかに記載のラック間通路遮蔽構造において、ラック列の対向面には、各々のラック搭載機器冷却用空気吸い込み口を備え、ラック列の背面には、ラック搭載機器によって暖められた空気を送りだす送風口を備え、床部には、ラック搭載機器冷却用の冷気吹き出し口を備えることを特徴とするものである。
【００１１】
【００１２】
【００１３】
【発明の効果】
【００１４】
本発明によれば、複数のラックをラック列として対向配置し、該ラック列間に設けられた空間を閉空間とする床部と天井部と入口扉部と背面部を有するラック間通路遮蔽構造において、該天井部は、対向配置されたラックの上端間に渡して取付けた枠部材の上部に天井パネルを固定して構成され、該枠部材のうち、ラック間通路の幅方向に渡る部位をレール部材として形成し、更に、該レール部材の内部に、下向きに開口した溝状の機器取付部を形成し、該機器取付部内に機器を固定するスライドナットを移動自在に設けた構造とすることにより、従来は取り付け位置がラックの上部近傍に限定されていた問題が解消し、機器取り付けの自由度を高めることが可能となる。請求項２記載の発明のように機器取付部に、ラック間通路の幅方向にスライド自在な第２の機器取付部として、補助レール部材を取付けた構造とすれば、更に機器取り付けの自由度を高めることができる。さらに、請求項３記載の発明のように、前記機器取付部をを配線収納空間としたことにより、機器への配線をレール部材７を介して見映えよく行うことができる。
【発明を実施するための最良の形態】
【００１５】
以下に本発明の好ましい実施形態を示す。
図１には、本発明のラック間通路遮蔽構造の全体図を示している。図１において、１はラック間通路遮蔽構造、２はラック、３は天井部、４は床部、５は入口扉部であり、入口扉部５が開いた状態を示している。
図２は入口扉部５を閉じた状態のラック間通路遮蔽構造の全体図であり、ラック間通路遮蔽構造１は、複数のラック２をラック列として対向配置し、該ラック列間に設けられた空間を床部４と天井部３と入口扉部５と図示しない背面部とで囲い、閉空間を形成したものである。
なお、背面部は入口扉部５と対抗する背面部は入口扉部５と同様の扉部を備えたものとしてもよいが、扉部を有しない壁面としてもよい。
ラック列の対向面の扉２ａには、パンチングメタル等で形成した各々のラック搭載機器冷却用空気吸い込み口を備え、ラック列の背面の扉２ｂにも、扉２ａと同様にラック搭載機器によって暖められた空気を送りだす送風口がパンチングメタル等で形成されている。
また、床部４は建物の二重床であり、床下空調で冷却された冷気を供給するラック搭載機器冷却用の冷気吹き出し口を備えている。そして、ラック間通路遮蔽構造は図１に矢印で示す空気の流路を形成する。
【００１６】
（実施形態１）
図３には、第一の実施形態における天井部の構成説明図を示している。本実施形態では、ラック列を構成する各ラックに対応して配置される天井部３は、長手方向に装着するレール部材７と、幅方向に装着する取付フレーム９とを接合して形成した枠部材６によって天井パネル３ａを固定している。
【００１７】
天井パネル３aの長手方向に装着したレール部材７には、図４に示すように、下側に連続する機器取付部８が形成されている。前記機器取付部には照明器具、火災報知機、セキュリティー機器等の機器が設置される。本実施形態では、連続する機器取付部８を溝部として形成しているが、一定間隔にねじ孔等を設けたものでもよい。なお、機器取付部８はレール部材７の下面以外にも、枠部材６の内側であるレール部材７の側面に機器取付部８を設けたものとしてもよいし、レール部材７の下面及び側面の両方に設けたものとしてもよい。
当該機器取付部８を溝部として形成した場合、当該溝部内に配線を収納することにより、機器への配線を行うことができる。また、溝部内に配線後、溝部表面をカバー部材で溝部を覆うことが好ましい。なお、該カバー部材は部分的なものであってもよい。
このような構造とすれば、前記したような機器への配線をレール部材７を介して見映えよく行うことができる。また、 配線はレール部材の端部より屋根の外側に引き出すことができる。引き出した配線は、後述するラックの上部に装着された固定フレーム１０に沿って引き出し、ラックの天井面に配線挿入部を設けてラック内部から電源をとることもできる。
【００１８】
天井パネル３aの幅方向には、天井パネル取付フレーム９が設けられており、ラック２の上端部幅方向には固定フレーム１０が設けられている。本実施形態の固定フレーム１０は、固定フレーム取り付け金具１１によって、ラック２の天井部分に固定されている。機器取付部８に取り付けた機器の高さに応じて、ラック２の扉２aの開閉を妨げないように、適宜の高さを有する固定フレーム１０に取り換えることも可能である。
【００１９】
天井パネル３aの幅方向に装着した取付フレーム９と、ラックの上部に取り付けた固定フレーム１０とは、図５に示すようにラックの上部で積み重ねた状態で側部を固定ゴム１２にて固定している。
このように固定ゴム１２を介して固定することにより、ラックの揺れによって天井部３が破損しない構造としている。
【００２０】
本実施形態では、図３及び図６に示すように天井パネル３aを２枚の透明パネルから構成し、２枚のパネルをパネル保持金具１３で接合した構造としている。
パネル保持金具１３は、保持金具本体１３ａと上側押さえ部材１３ｂ及び下側ねじ部材１３ｃより構成されている。上側押さえ部材１３ｂの両側の腕部１３ｄを天井パネル３ａに渡るように配置して、下側ねじ部材１３ｃと螺合することにより、２つの天井パネル３ａを一体的に保持するものである。また、下側ねじ部材１３ｃを外すことにより、パネル保持金具１３を２つの天井パネル３ａから外すことができ、天井パネル３aを、必要に応じて枠部材６の下側より脱着可能としている。
【００２１】
なお、天井パネル３aの構造は、本実施形態に限定されるものではなく、透明でないパネルや、図７に示すように、１枚構成のパネルとすることも可能である。
【００２２】
機器取付部８を構成する溝部には、図８に示すスライドナット１４の頭部１４aがスライド自在に嵌合している。図９には機器取付部とスライドナット嵌合状態図を示している。溝部に嵌合したスライドナット１４は、内部にナット１４ｂを保持しており機器取付穴１４ｃにねじを挿入し締め付けることにより機器取付部８の任意の位置に機器を固定することができる。
【００２３】
なお、上記した実施形態では、ラック列間に形成した閉空間に床下空調で冷却された冷気を供給する構造としたが、ラック搭載機器の向きを逆方向として閉空間に暖められた空気排出し、冷気を閉空間の外部より吸気する構造としてもよい。この場合において閉空間の排熱は天井部３等にダクトを形成し外部に排出するか、若しくはラック列を形成するラック間に冷却装置を設け閉空間を冷却するものとする。
【００２４】
【００２５】
（実施形態２）
図１０には、第二の実施形態における天井部の構成説明図を示している。
本実施形態では、実施形態１と同様に天井部３の長手方向に設けられたレール部材７の下面に溝部を有している。さらに、レール部材７の内側面にも溝部が形成されており、対向するレール部材７の間に補助レール部材１７を天井部３の長手方向に移動可能に設けている。また、補助レール部材１７にも機器取付部である溝部が形成されている。このような構成とすることにより、機器取り付けの自由度を高めることができる。
【図面の簡単な説明】
【００２６】
【図１】本発明のラック間通路遮蔽構造の入口扉部を開いた状態の全体図である。
【図２】本発明のラック間通路遮蔽構造の入口扉部を閉じた状態の全体図である。
【図３】第一の実施形態における天井部の構成説明図である（２枚パネル）。
【図４】第一の実施形態におけるレール部材の断面を示す図である。
【図５】第一の実施形態における天井部の構成説明図である。
【図６】第一の実施形態における天井部の構成説明図である。
【図７】第一の実施形態における天井部の構成説明図である（１枚パネル）。
【図８】本発明に用いるスライドナットの説明図である。
【図９】機器取付部とスライドナット嵌合状態図である。
【図１０】第二の実施形態における天井部の構成説明図である。
【符号の説明】
【００２７】
１  ラック間通路遮蔽構造
２  ラック  
２a  ラック扉
３  天井部
３a  天井パネル
４  床部
５  入口扉部
６  枠部材
７  レール部材
８  機器取付部
９  天井パネル取付フレーム
１０  固定フレーム
１１  固定フレーム取り付け金具
１２  固定ゴム
１３  パネル保持金具
１４  スライドナット
１４a  スライドナット爪部
１５  パネル保持フレーム
１６  溝部
１７  補助レール部材
【図１】
0005264432.tif 000002
【図２】
0005264432.tif 000003
【図３】
0005264432.tif 000004
【図４】
0005264432.tif 000005
【図５】
0005264432.tif 000006
【図６】
0005264432.tif 000007
【図７】
0005264432.tif 000008
【図８】
0005264432.tif 000009
【図９】
0005264432.tif 000010
【図１０】
0005264432.tif 000011